(57)【要約】【課題】複数のサブフィールドの画像に分割して表示することで多階調の画像表示を行うという場合に対し、動画疑似輪郭と呼ばれる中間調の表示乱れを軽減することが可能であると同時に、フリッカの発生を抑制することが可能な画像表示方法を実現することを目的とする。【解決手段】１番目に位置するサブフィールドの輝度重みが３番目に位置するサブフィールドの輝度重みより小であり、かつ、３番目に位置するサブフィールドの輝度重みが５番目に位置するサブフィールドの輝度重みより小であり、かつ、２番目に位置するサブフィールドの輝度重みが４番目に位置するサブフィールドの輝度重みより大であり、かつ、４番目に位置するサブフィールドの輝度重みが６番目に位置するサブフィールドの輝度重みより大であるように１フィールドを構成する。【選択図】図１
2005258140.tif 000002
【特許請求の範囲】
【請求項１】
１フィールド期間を複数のサブフィールドに分割し、順次位置させた前記複数のサブフィールドの組み合わせにより階調を表示する画像表示方法において、
ｉ番目に位置するサブフィールドの輝度重みがｉ＋２番目に位置するサブフィールドの輝度重みより小であり、かつ、
前記ｉ＋２番目に位置するサブフィールドの輝度重みがｉ＋４番目に位置するサブフィールドの輝度重みより小であり、かつ、
ｉ＋１番目に位置するサブフィールドの輝度重みがｉ＋３番目に位置するサブフィールドの輝度重みより大であり、かつ、
前記ｉ＋３番目に位置するサブフィールドの輝度重みがｉ＋５番目に位置するサブフィールドの輝度重みより大であるような整数ｉが存在することを特徴とする画像表示方法。
【請求項２】
１フィールド期間を複数のサブフィールドに分割し、順次位置させた前記複数のサブフィールドの組み合わせにより階調を表示する画像表示方法において、
ｉ番目に位置するサブフィールドの輝度重みがｉ＋２番目に位置するサブフィールドの輝度重みより大であり、かつ、
前記ｉ＋２番目に位置するサブフィールドの輝度重みがｉ＋４番目に位置するサブフィールドの輝度重みより大であり、かつ、
ｉ＋１番目に位置するサブフィールドの輝度重みがｉ＋３番目に位置するサブフィールドの輝度重みより小であり、かつ、
前記ｉ＋３番目に位置するサブフィールドの輝度重みがｉ＋５番目に位置するサブフィールドの輝度重みより小であるような整数ｉが存在することを特徴とする画像表示方法。
【請求項３】
隣接する２つのサブフィールドによりなる組のうち少なくとも１つにおいて、輝度重みの大きいサブフィールドを点灯させる場合には、輝度重みの小さいサブフィールドを同時に点灯させるようにしたことを特徴とする請求項１または２に記載の画像表示方法。
【請求項４】
ｉ＋２番目に位置するサブフィールドの輝度重みが、ｉ番目に位置するサブフィールドの輝度重みの２倍未満であることを特徴とする請求項１または３に記載の画像表示方法。
【請求項５】
ｉ＋４番目に位置するサブフィールドの輝度重みが、ｉ＋２番目に位置するサブフィールドの輝度重みの２倍未満であることを特徴とする請求項１または３に記載の画像表示方法。
【請求項６】
ｉ＋１番目に位置するサブフィールドの輝度重みが、ｉ＋３番目に位置するサブフィールドの輝度重みの２倍未満であることを特徴とする請求項１または３に記載の画像表示方法。
【請求項７】
ｉ＋３番目に位置するサブフィールドの輝度重みが、ｉ＋５番目に位置するサブフィールドの輝度重みの２倍未満であることを特徴とする請求項１または３に記載の画像表示方法。
【請求項８】
ｉ番目に位置するサブフィールドの輝度重みが、ｉ＋２番目に位置するサブフィールドの輝度重みの２倍未満であることを特徴とする請求項２または３に記載の画像表示方法。
【請求項９】
ｉ＋２番目に位置するサブフィールドの輝度重みが、ｉ＋４番目に位置するサブフィールドの輝度重みの２倍未満であることを特徴とする請求項２または３に記載の画像表示方法。
【請求項１０】
ｉ＋３番目に位置するサブフィールドの輝度重みが、ｉ＋１番目に位置するサブフィールドの輝度重みの２倍未満であることを特徴とする請求項２または３に記載の画像表示方法。
【請求項１１】
ｉ＋５番目に位置するサブフィールドの輝度重みが、ｉ＋３番目に位置するサブフィールドの輝度重みの２倍未満であることを特徴とする請求項２または３に記載の画像表示方法。
【請求項１２】
サブフィールドの位置は、サブフィールドの先頭を基準として後方に数えた位置であることを特徴とする請求項１から１１のいずれかに記載の画像表示方法。
【請求項１３】
サブフィールドの位置は、サブフィールドの末尾を基準として前方に数えた位置であることを特徴とする請求項１から１１のいずれかに記載の画像表示方法。
【発明の詳細な説明】
【技術分野】
【０００１】
本発明は、プラズマディスプレイ装置など、画像の１フィールド分を複数のサブフィールドの画像に分割して表示して多階調表示を行う際の画像表示方法に関するものである。
【背景技術】
【０００２】
例えばプラズマディスプレイ装置のような、画像の１フィールド分を複数のサブフィールド（ＳＦ）の画像に分割して表示することで多階調の画像表示を行う際、動画像を表示する場合において、いわゆる疑似輪郭状の階調の乱れが発生することが知られている。
【０００３】
これは、中間調を、各サブフィールドの輝度の時間方向の積分で表現しようとするため、動画像などで視線が移動した場合、時間の経過とともに本来の画素位置とは異なる位置の画像のそれぞれのビットの重みを積分することになり、このことにより中間調表示が大きく乱れてしまい、この中間調の乱れにより画像に偽の輪郭が現れ、認識されることに起因するものである。
【０００４】
そこで、上述のような、疑似輪郭状の中間調の乱れを軽減する試みとして、従来の前述のような画像表示装置においては、上位の複数ビットに対応するサブフィールドの輝度重みを分割し、さらにそれを分散配置して構成する、ということが行われている。
【０００５】
図６は、上述のような疑似輪郭状の中間調の乱れを軽減するためのサブフィールド構成の一例を示すものであり、１０サブフィールドを用いて８ビット階調、すなわち２５６階調を表示しようとするものである。各サブフィールドの輝度重み付けは、順に、４８（ＳＦ１）、４８（ＳＦ２）、１（ＳＦ３）、２（ＳＦ４）、４（ＳＦ５）、８（ＳＦ６）、１６（ＳＦ７）、３２（ＳＦ８）、４８（ＳＦ９）、４８（ＳＦ１０）となっている。
【０００６】
これは８ビット階調の、２0＝１、２1＝２、２2＝４、２3＝８、２4＝１６、２5＝３２、２6＝６４、２7＝１２８における上位２ビット２6＝６４、２7＝１２８がもつ合計１９２の輝度重みを、輝度重み４８に４分割し、それを１フィールドの始まりと終わりの両端に、ＳＦ１、ＳＦ２、およびＳＦ９、ＳＦ１０として分散配置したものである。そして、このように最上位ビットの重みを小さくすることで中間調の乱れの発生をできるだけ抑え、動画疑似輪郭を目立たなくしようとするものである（例えば、非特許文献１参照）。
【非特許文献１】Ｔ．Ｙａｍａｇｕｃｈｉ，ｅｔ  ａｌ．  “Ｉｍｐｒｏｖｅｍｅｎｔ  ｉｎ  ＰＤＰ  Ｐｉｃｔｕｒｅ  Ｑｕａｌｉｔｙ  ｂｙ  Ｔｈｒｅｅ−Ｄｉｍｅｎｓｉｏｎａｌ  Ｓｃａｔｔｅｒｉｎｇ  ｏｆ  Ｄｙｎａｍｉｃ  Ｆａｌｓｅ  Ｃｏｎｔｏｕｒｓ”  ＳＩＤ‘９６  Ｄｉｇｅｓｔ  ｐｐ２９１−２９４
【発明の開示】
【発明が解決しようとする課題】
【０００７】
上述した従来の方法によれば、輝度の重み付けが最も大きい（輝度重み＝４８）４つのサブフィールド（ＳＦ１、ＳＦ２、およびＳＦ９、ＳＦ１０）が１フィールドの始まりと終わりに分散して配置されることとなる。ここで、上記４つのサブフィールドにより形成される輝度重みの合計は１９２となり、全輝度重みの大部分を占めるものとなる。すなわち、画像の明暗の主要情報は１フィールドの前半と後半に時間的に離れて繰り返して表示されることになる。
【０００８】
このような画像表示を行うと、１フィールド内の後半のＳＦ９、ＳＦ１０による発光は、次のフィールドの前半のＳＦ１、ＳＦ２による発光と、時間的に近接して発光するため、特にフィールド周波数が低い画像を表示した場合、高輝度部分では１フィールドに１回のフリッカとして知覚される場合があるという課題を有していた。
【０００９】
本発明は上記課題に鑑みてなされたものであり、複数のサブフィールドの画像に分割して表示することで多階調の画像表示を行うという場合に対し、動画疑似輪郭と呼ばれる中間調の表示乱れを軽減することが可能であると同時に、フリッカの発生を抑制することが可能な画像表示方法を実現することを目的とする。
【課題を解決するための手段】
【００１０】
上記目的を実現するために本発明の画像表示方法は、１フィールド期間を複数のサブフィールドに分割し、順次位置させた前記複数のサブフィールドの組み合わせにより階調を表示する画像表示方法において、ｉ番目に位置するサブフィールドの輝度重みがｉ＋２番目に位置するサブフィールドの輝度重みより小であり、かつ、前記ｉ＋２番目に位置するサブフィールドの輝度重みがｉ＋４番目に位置するサブフィールドの輝度重みより小であり、かつ、ｉ＋１番目に位置するサブフィールドの輝度重みがｉ＋３番目に位置するサブフィールドの輝度重みより大であり、かつ、前記ｉ＋３番目に位置するサブフィールドの輝度重みがｉ＋５番目に位置するサブフィールドの輝度重みより大であるような整数ｉが存在することを特徴とするものである。
【００１１】
また、上記目的を実現するために本発明の画像表示方法は、１フィールド期間を複数のサブフィールドに分割し、順次位置させた前記複数のサブフィールドの組み合わせにより階調を表示する画像表示方法において、ｉ番目に位置するサブフィールドの輝度重みがｉ＋２番目に位置するサブフィールドの輝度重みより大であり、かつ、前記ｉ＋２番目に位置するサブフィールドの輝度重みがｉ＋４番目に位置するサブフィールドの輝度重みより大であり、かつ、ｉ＋１番目に位置するサブフィールドの輝度重みがｉ＋３番目に位置するサブフィールドの輝度重みより小であり、かつ、前記ｉ＋３番目に位置するサブフィールドの輝度重みがｉ＋５番目に位置するサブフィールドの輝度重みより小であるような整数ｉが存在することを特徴とするものである。
【発明の効果】
【００１２】
本発明の画像表示方法によれば、複数のサブフィールドの画像に分割して表示することで多階調の画像表示を行うという場合に対し、動画疑似輪郭と呼ばれる中間調の表示乱れを軽減することが可能であると同時に、フリッカの発生を抑制することが可能な画像表示方法を実現できる。
【発明を実施するための最良の形態】
【００１３】
すなわち、本発明の請求項１に記載の発明は、１フィールド期間を複数のサブフィールドに分割し、順次位置させた前記複数のサブフィールドの組み合わせにより階調を表示する画像表示方法において、ｉ番目に位置するサブフィールドの輝度重みがｉ＋２番目に位置するサブフィールドの輝度重みより小であり、かつ、前記ｉ＋２番目に位置するサブフィールドの輝度重みがｉ＋４番目に位置するサブフィールドの輝度重みより小であり、かつ、ｉ＋１番目に位置するサブフィールドの輝度重みがｉ＋３番目に位置するサブフィールドの輝度重みより大であり、かつ、前記ｉ＋３番目に位置するサブフィールドの輝度重みがｉ＋５番目に位置するサブフィールドの輝度重みより大であるような整数ｉが存在することを特徴とする画像表示方法である。
【００１４】
また、請求項２に記載の発明は、１フィールド期間を複数のサブフィールドに分割し、順次位置させた前記複数のサブフィールドの組み合わせにより階調を表示する画像表示方法において、ｉ番目に位置するサブフィールドの輝度重みがｉ＋２番目に位置するサブフィールドの輝度重みより大であり、かつ、前記ｉ＋２番目に位置するサブフィールドの輝度重みがｉ＋４番目に位置するサブフィールドの輝度重みより大であり、かつ、ｉ＋１番目に位置するサブフィールドの輝度重みがｉ＋３番目に位置するサブフィールドの輝度重みより小であり、かつ、前記ｉ＋３番目に位置するサブフィールドの輝度重みがｉ＋５番目に位置するサブフィールドの輝度重みより小であるような整数ｉが存在することを特徴とする画像表示方法である。
【００１５】
また、請求項３に記載の発明は、請求項１または２に記載の発明において、隣接する２つのサブフィールドによりなる組のうち少なくとも１つにおいて、輝度重みの大きいサブフィールドを点灯させる場合には、輝度重みの小さいサブフィールドを同時に点灯させるようにしたことを特徴とするものである。
【００１６】
また、請求項４に記載の発明は、請求項１または３に記載の発明において、ｉ＋２番目に位置するサブフィールドの輝度重みが、ｉ番目に位置するサブフィールドの輝度重みの２倍未満であることを特徴とするものである。
【００１７】
また、請求項５に記載の発明は、請求項１または３に記載の発明において、ｉ＋４番目に位置するサブフィールドの輝度重みが、ｉ＋２番目に位置するサブフィールドの輝度重みの２倍未満であることを特徴とするものである。
【００１８】
また、請求項６に記載の発明は、請求項１または３に記載の発明において、ｉ＋１番目に位置するサブフィールドの輝度重みが、ｉ＋３番目に位置するサブフィールドの輝度重みの２倍未満であることを特徴とするものである。
【００１９】
また、請求項７に記載の発明は、請求項１または３に記載の発明において、ｉ＋３番目に位置するサブフィールドの輝度重みが、ｉ＋５番目に位置するサブフィールドの輝度重みの２倍未満であることを特徴とするものである。
【００２０】
また、請求項８に記載の発明は、請求項２または３に記載の発明において、ｉ番目に位置するサブフィールドの輝度重みが、ｉ＋２番目に位置するサブフィールドの輝度重みの２倍未満であることを特徴とするものである。
【００２１】
また、請求項９に記載の発明は、請求項２または３に記載の発明において、ｉ＋２番目に位置するサブフィールドの輝度重みが、ｉ＋４番目に位置するサブフィールドの輝度重みの２倍未満であることを特徴とするものである。
【００２２】
また、請求項１０に記載の発明は、請求項２または３に記載の発明において、ｉ＋３番目に位置するサブフィールドの輝度重みが、ｉ＋１番目に位置するサブフィールドの輝度重みの２倍未満であることを特徴とするものである。
【００２３】
また、請求項１１に記載の発明は、請求項２または３に記載の発明において、ｉ＋５番目に位置するサブフィールドの輝度重みが、ｉ＋３番目に位置するサブフィールドの輝度重みの２倍未満であることを特徴とするものである。
【００２４】
また、請求項１２に記載の発明は、請求項１から１１のいずれかに記載の発明において、サブフィールドの位置は、サブフィールドの先頭を基準として後方に数えた位置であることを特徴とするものである。
【００２５】
また、請求項１３に記載の発明は、請求項１から１１のいずれかに記載の発明において、サブフィールドの位置は、サブフィールドの末尾を基準として前方に数えた位置であることを特徴とするものである。
【００２６】
以下本発明の一実施の形態について、図面を参照しながら説明する。
【００２７】
（実施の形態１）
図１は、本発明の実施の形態１による画像表示方法において用いられる、サブフィールドにおける輝度重みと位置の概念の一例を模式的に示す図である。図１においては、たとえば２値表示を行う画像表示装置での実際の発光強度とは必ずしも一致しないが、各サブフィールドの大小関係が把握し易いように、各サブフィールドの輝度重みを棒グラフとして便宜的に表示している。
【００２８】
図１に示すように、画像信号の１フィールドは１０個で構成されており、このサブフィールドを順次並べ、このサブフィードの発光のオン・オフの組み合わせによって階調表示を行う。図１において、先頭のサブフィールドの輝度重みは「１」、先頭より２番目のサブフィールドの輝度重みは「６７」、以下順に「２」、「５６」、「４」、「４４」、「８」、「３３」、「１６」、「２４」としている。すなわち、１番目に位置するサブフィールドの輝度重みが３番目に位置するサブフィールドの輝度重みより小であり、かつ、３番目に位置するサブフィールドの輝度重みが５番目に位置するサブフィールドの輝度重みより小であり、かつ、２番目に位置するサブフィールドの輝度重みが４番目に位置するサブフィールドの輝度重みより大であり、かつ、４番目に位置するサブフィールドの輝度重みが６番目に位置するサブフィールドの輝度重みより大であるように構成されている。
【００２９】
また同時に、３番目に位置するサブフィールドの輝度重みが、１番目に位置するサブフィールドの輝度重みの２倍未満であり、同様に５番目に位置するサブフィールドの輝度重みが、３番目に位置するサブフィールドの輝度重みの２倍未満である。また、２番目に位置するサブフィールドの輝度重みが、４番目に位置するサブフィールドの輝度重みの２倍未満であり、４番目に位置するサブフィールドの輝度重みが、６番目に位置するサブフィールドの輝度重みの２倍未満であるよう構成されている。
【００３０】
１フィールドをこのような構成とすることにより、表示しようとする階調値の変化に対して、１フィールド内での発光の平均的な位置、すなわち発光のフィールド内での「重心」の移動を抑えたサブフィールドの発光の組み合わせを選択することができ、いわゆる動画を表示したときの中間階調の乱れである「動画疑似輪郭」を低減して表示することが可能となる。さらに、階調値の広い範囲に亘って輝度重みの大きいサブフィールドが１フィールド内に分散して発光することになるので、フリッカの発生を抑制することができる。
【００３１】
なお、サブフィールドの総数や、各サブフィールドの輝度重み、また各サブフィールドの順序などは、上述した例に限定されるものではなく、種々の変形が可能なことはいうまでもない。例えば、第７番目から第８番目に位置するサブフィールドの輝度重みの大小関係は必ずしも図１に示したものと同一の関係を保持する必要はない。また、各サブフィールドの位置は、サブフィールドの先頭を基準として後方に数えるものとして説明したが、サブフィールドの末尾を基準として前方に数えるものとしてもよい。
【００３２】
（実施の形態２）
図２は、本発明の実施の形態２による画像表示方法で用いられるサブフィールドにおける輝度重みと位置の概念の一例を模式的に示す図であり、図１の場合に比較して、サブフィールドの時間的配置を全く逆にしたものである。
【００３３】
１フィールドをこのような構成とすることによっても、表示しようとする階調値の変化に対して、１フィールド内での発光の平均的な位置の移動を抑えたサブフィールドの発光の組み合わせを選択することができ、いわゆる動画を表示したときの中間階調の乱れである「動画疑似輪郭」を低減して表示することが可能となる。さらに、階調値の広い範囲に亘って輝度重みの大きいサブフィールドが１フィールド内に分散して発光することになるので、フリッカの発生を抑制することができる。
【００３４】
（実施の形態３）
図３は、本発明の実施の形態３による画像表示方法で用いられるサブフィールドにおける輝度重みと位置の概念の一例を模式的に示す図である。
【００３５】
図３において、図１の場合と異なるのは、ｉ番目とｉ＋１番目等の、サブフィールドの輝度重みの大小関係が逆になっている点である。
【００３６】
すなわち図３においては、１番目に位置するサブフィールドの輝度重みが３番目に位置するサブフィールドの輝度重みより大であり、かつ、第３番目に位置するサブフィールドの輝度重みが第５番目に位置するサブフィールドの輝度重みより大であり、かつ、第２番目に位置するサブフィールドの輝度重みが第４番目に位置するサブフィールドの輝度重みより小であり、かつ、第４番目に位置するサブフィールドの輝度重みが第６番目に位置するサブフィールドの輝度重みより小であるよう構成されている。
【００３７】
また同時に、第１番目に位置するサブフィールドの輝度重みが、第３番目に位置するサブフィールドの輝度重みの２倍未満であり、第３番目に位置するサブフィールドの輝度重みが、第５番目に位置するサブフィールドの輝度重みの２倍未満である。また、第４番目に位置するサブフィールドの輝度重みが、第２番目に位置するサブフィールドの輝度重みの２倍未満であり、第６番目に位置するサブフィールドの輝度重みが、第４番目に位置するサブフィールドの輝度重みの２倍未満であるよう構成されている。
【００３８】
１フィールドをこのような構成とすることにより、表示しようとする階調値の変化に対して、１フィールド内の発光の平均的な位置、すなわち発光のフィールド内での「重心」の移動を抑えたサブフィールドの発光の組み合わせを選択することができ、いわゆる動画を表示したときの中間階調の乱れである「動画疑似輪郭」を低減して表示することが可能となる。さらに、階調値の広い範囲に亘って輝度重みの大きいサブフィールドが１フィールド内に分散して発光することになるので、フリッカの発生を抑制することができる。
【００３９】
なお、サブフィールドの総数や、各サブフィールドの輝度重み、また各サブフィールドの順序などは、上述した例に限定されるものではなく、種々の変形が可能なことはいうまでもない。例えば、第７番目から第８番目に位置するサブフィールドの輝度重みの大小関係は必ずしも図３に示したものと同一の関係を保持するものである必要はない。また、各サブフィールドの位置は、サブフィールドの先頭を基準として後方に数えるものとして説明したが、サブフィールドの末尾を基準として前方に数えるものとしてもよい。
【００４０】
（実施の形態４）
次に、本発明の一実施の形態による画像表示方法における各サブフィールドの制御方法の一例について説明する。図４および図５は、図２に輝度重みと位置とを模式的に示したサブフィールドに対する制御方法の一例を示した図であり、図中の「Ｘ」印は、対応する階調値に対して発光するサブフィールドを示している。図４には階調値「９５」までのサブフィールドの制御方法の一部を、また図５には階調値「９５」以上に対するサブフィールドの制御方法例を示している。
【００４１】
階調値が比較的小さいときは、図４に示すように、各サブフィールドを任意に選択し、細かく階調表示を行う。例えば階調値「３２」では、第１番目のサブフィールド位置の輝度重み「２４」と第４番目のサブフィールド位置の輝度重み「８」が点灯して階調値「３２」を表現するが、階調値「３３」ではさらに第１０番目のサブフィールド位置の輝度重み「１」を点灯させ、合計の階調値「３３」を表現する。
【００４２】
これに対して、階調値が比較的大きいときは、例えば図５に示すようなサブフィールドの制御方法に限定して階調値を表示する。例えば階調値「１３２」の次に大きい階調値として「１４０」を用いる。このように、図５に示すようなサブフィールドの制御方法では、階調値が大きい部分では、隣接する２つのサブフィールドよりなる組のうち少なくとも１つにおいて、輝度重みの大きいサブフィールドを点灯させる場合には、輝度重みの小さいサブフィールドを同時に点灯させるようにしている。例えば輝度重み「４４」をもつサブフィールド（第５番目のサブフィールド）が点灯するのは、このサブフィールドに隣接した、より小さい輝度重み「４」をもつサブフィールド（第６番目のサブフィールド）が点灯する場合に限定されるようにしている。この他、第７番目のサブフィールドと第８番目のサブフィールド、第９番目のサブフィールドと第１０番目のサブフィールドも同様の関係を保つよう制御している。
【００４３】
このような構成とすることにより、画像表示を行う際のサブフィールドの制御情報が変化する頻度が低くなり、情報書き込みに関連する消費電力の低減が期待できる。また、輝度重みが大きい部分でのサブフィールドの組み合わせパターンが減少するために、各サブフィールドにまつわる制御シーケンスを簡略化することが可能となる。
【００４４】
例えば、プラズマディスプレイ装置などでは、一般的には各サブフィールド毎に初期化処理や終了化処理が必要であるが、前記したようなサブフィールドの発光のパターンが限定されている場合には、この初期化処理や、終了化処理の一部を省略することが可能になり、これによる生じる時間の余裕により、発光輝度向上や動作の安定度向上やマージン向上が実現でき、その結果、コスト低減、より高精細表示のための処理等を可能とすることができる。
【００４５】
なお、上述したような実施の形態においては、階調値の大きい部分では階調値の飛躍が発生することになるが、階調値に対する比率は小さいので、十分な階調数が確保された実用的な画像表示が可能である。また、いわゆる誤差拡散などの等価的な階調補正のための信号処理を併用することで、さらに表示可能な実効階調数を確保することができる。
【産業上の利用可能性】
【００４６】
以上述べたように本発明の画像表示方法によれば、複数のサブフィールドの画像に分割して表示することで多階調の画像表示を行うという場合に対し、動画疑似輪郭と呼ばれる中間調の表示乱れを軽減することが可能であると同時に、フリッカの発生を抑制することが可能な画像表示方法を提供することができる。
【図面の簡単な説明】
【００４７】
【図１】本発明の一実施の形態による画像表示方法で用いられるサブフィールドの輝度重みと位置の概念の一例を示す図
【図２】本発明の一実施の形態による画像表示方法で用いられるサブフィールドの輝度重みと位置の概念の一例を示す図
【図３】本発明の一実施の形態による画像表示方法で用いられるサブフィールドの輝度重みと位置の概念の一例を示す図
【図４】本発明の一実施の形態による画像表示方法における各サブフィールドの制御方法の一部分を示す図
【図５】本発明の一実施の形態による画像表示方法における各サブフィールドの制御方法の他の一部分を示す図
【図６】従来の動画疑似輪郭の軽減方法におけるサブフィールド構成例を示す図
【図１】
2005258140.tif 000003
【図２】
2005258140.tif 000004
【図３】
2005258140.tif 000005
【図４】
2005258140.tif 000006
【図５】
2005258140.tif 000007
【図６】
2005258140.tif 000008